(57)【要約】【課題】複数回または複数個のコピーが許諾されたＡＶデータをその許諾回数または許諾個数を保証して他の記録再生装置にコピーすることが可能な記録再生装置を提供する。【解決手段】本発明に係る記録再生装置は、コピーが許諾されていることを示す属性情報を持つＡＶデータを記録および再生する記録再生装置であって、前記ＡＶデータを記録する記録手段と、記録された前記ＡＶデータをコピーして、コピーが許諾されていないことを示す属性情報を持つ一時データを生成するコピー手段と、生成された前記一時データを暗号化して他の装置に送信する送信手段と、送信された前記一時データを削除または無効化する無効化手段とを備える。【選択図】図２
2008262640.tif 000002
【特許請求の範囲】
【請求項１】
コピーが許諾されていることを示す属性情報を持つＡＶデータを記録および再生する記録再生装置であって、
前記ＡＶデータを記録する記録手段と、
記録された前記ＡＶデータをコピーして、コピーが許諾されていないことを示す属性情報を持つ一時データを生成するコピー手段と、
生成された前記一時データを暗号化して他の装置に送信する送信手段と、
送信された前記一時データを削除または無効化する無効化手段と
を備えることを特徴とする記録再生装置。
【請求項２】
前記コピー手段は、Ｎ回（Ｎは１以上の整数）またはＮ個のコピーが許諾されていることを示す属性情報を持つＡＶデータについて前記一時データを生成する度に前記Ｎの値を１つ減算する
ことを特徴とする請求項１記載の記録再生装置。
【請求項３】
前記コピー手段は、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式において規定されている「これ以上コピー不可」という意味の属性情報を持つ一時データを生成する
ことを特徴とする請求項１記載の記録再生装置。
【請求項４】
前記記録再生装置は、さらに、
前記ＡＶデータまたは前記一時データの属性情報を表示する表示手段を備える
ことを特徴とする請求項１記載の記録再生装置。
【請求項５】
前記表示手段は、前記一時データをオリジナルの前記ＡＶデータと区別して表示する
ことを特徴とする請求項４記載の記録再生装置。
【請求項６】
前記表示手段は、前記一時データを送信している間、ＤＴＣＰ方式において規定されている「移動モード」によって送信していることを表示する
ことを特徴とする請求項４記載の記録再生装置。
【請求項７】
前記コピー手段は、実体のＡＶデータに対して複数のＡＶデータ管理情報を割り当てることによって仮想的にコピーを実行する
ことを特徴とする請求項１記載の記録再生装置。
【請求項８】
コピーが許諾されていることを示す属性情報を持つＡＶデータを記録および再生する記録再生装置が前記ＡＶデータを他の装置にコピーするＡＶデータコピー方法であって、
前記ＡＶデータを記録する記録ステップと、
記録された前記ＡＶデータをコピーして、コピーが許諾されていないことを示す属性情報を持つ一時データを生成するコピーステップと、
生成された前記一時データを暗号化して前記他の装置に送信する送信ステップと、
送信された前記一時データを削除または無効化する無効化ステップと
を含むことを特徴とするＡＶデータコピー方法。
【請求項９】
コピーが許諾されていることを示す属性情報を持つＡＶデータを記録および再生する記録再生装置が前記ＡＶデータを他の装置にコピーするためのプログラムであって、
前記ＡＶデータを記録する記録ステップと、
記録された前記ＡＶデータをコピーして、コピーが許諾されていないことを示す属性情報を持つ一時データを生成するコピーステップと、
生成された前記一時データを暗号化して前記他の装置に送信する送信ステップと、
送信された前記一時データを削除または無効化する無効化ステップと
をコンピュータに実行させるためのプログラム。
【発明の詳細な説明】
【技術分野】
【０００１】
本発明は、コピー制御情報が付加されたＡＶデータを記録および再生する記録再生装置に関し、特に、複数回または複数個のコピーが許諾されたＡＶデータをその許諾回数または許諾個数を保証して他の記録再生装置にコピーする技術に関する。
【背景技術】
【０００２】
近年、家庭内の装置をネットワークで接続し、各種コンテンツの共有を図る家庭内ネットワークが実現されつつある。一方、新作の映画や有料放送のテレビ番組・音楽など、コピー制御情報が付加された著作権保護が必要なデータを扱う場合、著作権を保護する処理手段を設ける必要がある。著作権を保護するための有力な方法としては、著作権保護を必要とするデータを暗号化してデータの利用に制限を加える方法がある。
【０００３】
例えば、映像音声データ（以下「ＡＶデータ」と記す）をネットワークを利用して伝送する際、ＡＶデータの著作権を保護する必要がある場合は、そのＡＶデータを暗号化して伝送することが行われている。そのような例として、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）方式が規格化されている。
【０００４】
ＤＴＣＰ−ＩＰ方式では、認証機能と鍵の無効化機能とを備えることにより、著作権の保護を実現している。すなわち、著作権保護が必要なＡＶデータを伝送する場合は不正な装置を排除し、ＡＶデータを暗号化して伝送する。また、ＤＴＣＰ−ＩＰ方式では、コピー制御情報が「これ以上コピー不可」（Ｎｏ  Ｍｏｒｅ  Ｃｏｐｉｅｓ）のＡＶデータを他の記録再生装置に記録する場合は、ＡＶデータを移動する方式を採用している。
【０００５】
図１６は、従来の記録再生装置間でＡＶデータを移動する場合の実行シーケンスを示す図である。これら記録再生装置は、ＤＴＣＰ−ＩＰ方式に対応しているものとする。
【０００６】
まず、送信装置（送信側記録再生装置）と第１の受信装置（受信側記録再生装置）との間で認証処理を実行する。相互に認証に成功すると、送信装置は第１の受信装置に交換鍵を配布し、送信装置と第１の受信装置との間で交換鍵を共有する（Ｓ９０１）。移動モードの場合、送信装置は１台の受信装置にのみ交換鍵を配布し、別の受信装置である第２の受信装置が認証を要求してきても（Ｓ９０５）、この要求を拒否する（Ｓ９０６）。これによって、第２の受信装置では、暗号化したＡＶデータを復号することができないのでコピーが防止される。
【０００７】
続いて、送信装置は、ＡＶデータ送信要求を第１の受信装置から受けると（Ｓ９０２）、ＨＤＤ（Ｈａｒｄ  Ｄｉｓｋ  Ｄｒｉｖｅ）から読み出したＡＶデータのコピー制御情報を「１世代コピー可」（Ｃｏｐｙ Ｏｎｅ Ｇｅｎｅｒａｔｉｏｎ）に書き換える。そして、交換鍵を使用して生成した暗号鍵によってＡＶデータを暗号化して第１の受信装置に送信し（Ｓ９０３）、送信したＡＶデータを削除する（Ｓ９０４）。
【０００８】
第１の受信装置は、ＡＶデータを送信装置から受信すると、交換鍵を使用して生成した復号鍵によってＡＶデータを復号する。そして、コピー制御情報を「これ以上コピー不可」に変更したうえで、復号したＡＶデータを記録する。
【特許文献１】特開２００２−２４５７１８号公報（第９ページ）
【非特許文献１】Ｄｉｇｉｔａｌ  Ｔｒａｎｓｍｉｓｓｉｏｎ  Ｃｏｎｔｅｎｔ Ｐｒｏｔｅｃｔｉｏｎ  ｓｐｅｃｉｆｉｃａｔｉｏｎ  Ｒｅｖｉｓｉｏｎ  １．４（Ｉｎｆｏｒｍａｔｉｖｅ  Ｖｅｒｓｉｏｎ）
【発明の開示】
【発明が解決しようとする課題】
【０００９】
上記したように、移動処理では、ＡＶデータを同時に複数の受信装置が受信して復号することを防止することができる。一方、移動以外のコピー処理では、ＡＶデータを同時に受信することができる受信装置の最大台数を３４台に制限しているが、ＡＶデータを同時に複数の受信装置が受信すること自体は防止していない。
【００１０】
ここで、ＡＶデータを配信する放送業者や配信業者は、コピー回数またはコピー個数を制限したい場合（一定の回数または個数まではコピーを許諾する場合）がある。しかし、従来技術によると、その許諾回数または許諾個数を保証することができないという課題がある。
【００１１】
すなわち、コピー処理では、ＡＶデータを同時に複数の受信装置が受信することを防止していないので、コピー回数またはコピー個数を保証することができない。一方、移動処理では、ＡＶデータを同時に複数の受信装置が受信することを防止することができるものの、送信後にオリジナルのＡＶデータを削除しなければならい。そのため、複数回または複数個のコピーが許諾されたＡＶデータを許諾された条件で扱うことができない。
【００１２】
本発明は、前記課題を解決するものであって、複数回または複数個のコピーが許諾されたＡＶデータをその許諾回数または許諾個数を保証して他の記録再生装置にコピーすることが可能な記録再生装置を提供することを目的とする。
【課題を解決するための手段】
【００１３】
前記目的を達成するために、本発明に係る記録再生装置は、コピーが許諾されていることを示す属性情報を持つＡＶデータを記録および再生する記録再生装置であって、前記ＡＶデータを記録する記録手段と、記録された前記ＡＶデータをコピーして、コピーが許諾されていないことを示す属性情報を持つ一時データを生成するコピー手段と、生成された前記一時データを暗号化して他の装置に送信する送信手段と、送信された前記一時データを削除または無効化する無効化手段とを備える。これによって、コピー処理時でも、ＡＶデータを同時に複数の受信装置が受信することを防止することができる。
【００１４】
ここで、前記コピー手段は、Ｎ回（Ｎは１以上の整数）またはＮ個のコピーが許諾されていることを示す属性情報を持つＡＶデータについて前記一時データを生成する度に前記Ｎの値を１つ減算してもよい。これによって、複数回または複数個のコピーが許諾されたＡＶデータをその許諾回数または許諾個数を保証して他の記録再生装置にコピーすることができる。
【００１５】
また、前記コピー手段は、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式において規定されている「これ以上コピー不可」という意味の属性情報を持つ一時データを生成してもよい。これによって、一時データを移動モードで送信することができる。
【００１６】
また、前記記録再生装置は、さらに、前記ＡＶデータまたは前記一時データの属性情報を表示する表示手段を備えてもよい。これによって、ＡＶデータまたは一時データの属性を明確にユーザーに示すことができる。
【００１７】
また、前記表示手段は、前記一時データをオリジナルの前記ＡＶデータと区別して表示してもよい。これによって、一時データがコピー処理のため一時的に作成されたＡＶデータであることを明確にユーザーに示すことができる。
【００１８】
また、前記表示手段は、前記一時データを送信している間、ＤＴＣＰ方式において規定されている「移動モード」によって送信していることを表示してもよい。これによって、一時データを移動モードで送信していることを明確にユーザーに示すことができる。
【００１９】
また、前記コピー手段は、実体のＡＶデータに対して複数のＡＶデータ管理情報を割り当てることによって仮想的にコピーを実行してもよい。これによって、仮想的にコピーが実行されるので、実体のＡＶデータを一時的に記録しておく領域を確保する必要がなくなる。
【００２０】
なお、本発明は、このような記録再生装置として実現することができるだけでなく、このような記録再生装置が備える特徴的な手段をステップとするＡＶデータコピー方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００２１】
以上の説明から明らかなように、本発明に係る記録再生装置によれば、コピー処理時でも、ＡＶデータを同時に複数の受信装置が受信することを防止することができる。そして、複数回または複数個のコピーが許諾されたＡＶデータを扱う場合でも、その許諾回数または許諾個数を保証して他の記録再生装置にコピーすることが可能となる。
【００２２】
また、本発明に係る記録再生装置によれば、一時データがコピー処理のため一時的に作成されたＡＶデータであることを明確にユーザーに示すことができる。さらに、一時データを送信している間、ＤＴＣＰ方式において規定されている「移動モード」によって送信していることを明確にユーザーに示すことができる。
【発明を実施するための最良の形態】
【００２３】
以下、本発明の実施の形態について図面を用いて説明する。
【００２４】
（実施の形態）
＜全体構成＞
図１は、本実施の形態における記録再生装置の使用環境を示す図である。
【００２５】
この図に示されるように、記録再生装置１〜３は、ブロードバンドルータ４に接続されてホームネットワークを構成している。ブロードバンドルータ４は、インターネット５に接続されていてもよい。記録再生装置１は、デジタルチューナを内蔵しており、デジタル放送を受信して内蔵のＨＤＤに記録することが可能なセットトップボックス等である。記録再生装置１は、内蔵のＨＤＤに記録したＡＶコンテンツを記録再生装置２や記録再生装置３に送信する。記録再生装置２や３は、ＡＶコンテンツを記録再生装置１から受信するＤＶＤ／ＨＤＤハイブリッドレコーダ等である。以下、記録再生装置１を「送信装置」、記録再生装置２を「第１の受信装置」、記録再生装置３を「第２の受信装置」という場合がある。また、第１の受信装置と第２の受信装置とを特に区別することなく「受信装置」という場合がある。
【００２６】
初期状態では、「Ｎ回コピー可能」なコンテンツであるＡＶコンテンツ１を記録再生装置１が記録しており、そのＡＶコンテンツを記録再生装置２に送信するものとする。Ｎは１以上の整数である。記録再生装置１に記録されるＡＶコンテンツの生成方法は特に限定されるものではない。例えば、ネットワークを通じて外部から受信することもできるし、あるいは記録再生装置１内で生成することもできる。ＡＶコンテンツの種類に関しては、動画・静止画・音楽など様々な種類が考えられる。ネットワークに関しても、インターネットやホームネットワークなど様々な形態が考えられる。記録再生装置１〜３がネットワークへ接続する形態に関しても、有線や無線など様々な形態が考えられる。
【００２７】
図２は、本実施の形態における記録再生装置間でＡＶコンテンツをコピーする処理の概要を示す図である。既に説明した通り、ＡＶデータを配信する放送業者や配信業者は、コピー回数またはコピー個数を制限したい場合がある。しかし、従来技術によると、その許諾回数または許諾個数を保証することができない。そこで、本発明では以下の手法を採用している。
【００２８】
すなわち、「Ｎ回コピー可能」なコンテンツであるＡＶコンテンツ１を記録再生装置２のみにコピーしたい場合、記録再生装置１は、ＡＶコンテンツ１をコピーして、「これ以上コピー不可」状態であるＡＶコンテンツ１ａを生成し、生成したＡＶコンテンツ１ａを移動モードで暗号化して記録再生装置２に送信する。移動モードでは、暗号化されたデータを復号するための交換鍵は、移動先である記録再生装置２しか取得することができない。すなわち、移動先ではない記録再生装置３では、暗号化されたデータを受信しても復号することができない。このようにすれば、コピー処理時でも、ＡＶデータを同時に複数の受信装置が受信することを防止することができる。
【００２９】
以下、図面に従って本発明の構成を更に詳しく説明する。
【００３０】
＜送信装置の構成＞
図３は、本実施の形態における記録再生装置の構成を示す図である。
【００３１】
この図に示されるように、記録再生装置１は、送受信部２１、暗号処理部２２、鍵交換処理部２３、認証処理部２４、伝送制御部２５、ＨＤＤ（Ｈａｒｄ  Ｄｉｓｋ  Ｄｒｉｖｅ）２６、コピー処理部２７、削除処理部２８、及び属性情報表示処理部２９から構成される。
【００３２】
送受信部２１は、本発明に係る送信手段の一例である。すなわち、送受信部２１は、ＡＶコンテンツ（以下「ＡＶデータ」という場合がある）をネットワークに送信し、またネットワークに接続されている他の装置とコマンドなどを送受信するためのデジタルインターフェースである。
【００３３】
暗号処理部２２は、ＨＤＤ２６から読み出されたＡＶデータを暗号化する。暗号鍵（Ｋｃ）は、鍵交換処理部２３から受信した交換鍵（Ｋｘ）、伝送制御部２５から受信したコピー制御情報（Ｅ−ＥＭＩ）及び鍵更新カウンタ値（Ｎｃ）を使用して生成される。暗号化されたＡＶデータは、ＡＶデータパケットに分割され、送受信部２１を介して送信される。
【００３４】
図４は、本実施の形態におけるＡＶデータパケットのフォーマットを示す図である。
この図に示されるように、ＡＶデータパケットは、ヘッダ部とデータ部から構成される。ヘッダ部は、コピー制御情報（Ｅ−ＥＭＩ）と、鍵更新カウンタ値（Ｎｃ）と、データ部のバイト長（Ｌｅｎｇｔｈ）とから構成される。コピー制御情報は、ＡＶデータのコピー制御に関する情報であり、具体的には「コピー禁止」「これ以上コピー禁止」「１世代コピー可」「コピーフリー」及び「移動中」のいずれかを示す識別コードである。「移動中」は、「これ以上コピー禁止」のＡＶデータを移動する際に設定される。鍵更新カウンタ値（Ｎｃ）は、暗号鍵および復号鍵を生成する際に使用するカウンタ値である。鍵更新カウンタ値（Ｎｃ）は、送信装置の伝送制御部２５によって、受信装置からのＡＶデータ送信要求毎に＋１カウントアップされ、かつＡＶデータ送信要求に対するＡＶデータの送信が１２８ＭＢを超える度に＋１カウントアップされる。この場合、送信装置は、ＡＶデータが１２８ＭＢを超える度、そのＡＶデータを新規のＡＶデータパケットに分割して送信する。
【００３５】
鍵交換処理部２３は、受信装置がＡＶデータの暗号を復号するために使用する交換鍵（Ｋｘ）を生成する。そして、認証処理部２４から受信した認証情報（Ｋａｕｔｈ）を用いて、生成した交換鍵（Ｋｘ）を暗号化する。暗号化された交換鍵（Ｋｘ）は、送受信部２１を介して出力される。
【００３６】
認証処理部２４は、受信装置から認証開始要求コマンドを受信して認証処理を行い、受信装置と認証情報（Ｋａｕｔｈ）を共有する。移動モードでは、既に１台の受信装置に交換鍵を配布している場合には認証開始要求コマンドを拒絶する。コピーモードでは、既に３４台の受信装置に交換鍵を配布している場合には認証開始要求コマンドを拒絶する。
【００３７】
伝送制御部２５は、送信装置の各部を制御してＡＶデータ伝送処理を実行する制御処理部である。伝送制御部２５は、「これ以上コピー禁止」状態であるＡＶデータを伝送する場合は、ＡＶデータのコピー制御情報（Ｅ−ＥＭＩ）を「移動中」に設定してＡＶデータを暗号化送信させる。そして、ＡＶデータの送信完了後、送信したＡＶデータの削除要求を削除処理部２８に出力して削除処理を実行させる。一方、「Ｎ回コピー可能」状態であるＡＶデータを伝送する場合は、コピー処理部２７にコピー要求を出力してＡＶデータのコピーを生成させる。そして、オリジナルのＡＶデータの状態を「Ｎ−１回コピー可能」状態とし、コピーしたＡＶデータのコピー制御情報を「移動中」に設定して暗号化送信させる。さらに、ＡＶデータの送信完了後、送信したコピーのＡＶデータの削除要求を削除処理部２８に出力して削除処理を実行させる。
【００３８】
ＨＤＤ２６は、本発明に係る記録手段の一例である。ＨＤＤ２６には、内蔵のデジタルチューナ（図示せず）によって受信したＡＶデータと、コピー処理部２７によって生成されたＡＶデータと、ＡＶデータの属性情報を管理するための属性情報管理テーブルＴ１とが記録されている。ＨＤＤ２６は、再生したＡＶデータを暗号処理部２２に出力する。ＨＤＤ２６に記録されているＡＶデータの削除は削除処理部２８によって実行される。
【００３９】
コピー処理部２７は、本発明に係るコピー手段の一例である。すなわち、コピー処理部２７は、伝送制御部２５からの要求を受けて、ＨＤＤ２６に記録されているコピー可能なＡＶデータから「これ以上コピー不可」状態のコピーを生成し、生成したコピーのＡＶデータ（一時データ）に関する属性情報を属性情報管理テーブルＴ１に追加する。
【００４０】
なお、生成した一時データを移動モードでの伝送のみに使用し、再生等に使用しない場合は、ＨＤＤ２６に一時データを記録しておく必要がない。したがって、この場合は、実体のＡＶデータに対して複数のＡＶデータ管理情報を割り当てることによって仮想的にコピー処理を実行してもよい。すなわち、伝送制御部２５からの要求を受けた時、属性情報管理テーブルＴ１に属性情報を追加するとともに、ＲＡＭ（Random Access Memory）上に一時データを生成する。そして、生成した一時データを移動モードで伝送する一方、伝送した一時データをＲＡＭ上から削除する。このようにすれば、ＨＤＤ２６に一時データを記録する必要がなくなる。
【００４１】
削除処理部２８は、本発明に係る無効化手段の一例である。すなわち、削除処理部２８は、伝送制御部２５からの要求を受けて、ＨＤＤ２６に記録されているＡＶデータを削除し、属性情報管理テーブルＴ１を更新する。
【００４２】
属性情報表示処理部２９は、本発明に係る表示手段の一例である。すなわち、属性情報表示処理部２９は、ＨＤＤ２６に記録されている属性情報管理テーブルＴ１の内容に基づいてユーザー表示用の表示データを作成し、表示する。
【００４３】
＜受信装置の構成＞
図５は、本実施の形態における第１の受信装置の構成を示す図である。
【００４４】
この図に示されるように、第１の受信装置は、ＡＶデータ受信手段、送受信部３１、復号処理部３２、鍵交換処理部３３、認証処理部３４、伝送制御部３５、及びＨＤＤ３６から構成される。ここでは第１の受信装置を例示しているが、第２の受信装置の構成も同様である。
【００４５】
送受信部３１は、ネットワークを介してＡＶデータを受信し、またネットワークに接続されている他の装置とコマンドなどを送受信するためのデジタルインターフェースである。
【００４６】
復号処理部３２は、送信装置から受信したＡＶデータの暗号を復号する。復号鍵（Ｋｃ）は、鍵交換処理部３３から受信した交換鍵（Ｋｘ）、ＡＶデータパケットのヘッダ部のコピー制御情報（Ｅ−ＥＭＩ）及び鍵更新カウンタ値（Ｎｃ）を使用して生成される。復号処理部３２によって復号され平文になったＡＶデータはＨＤＤ３６に記録される。
【００４７】
鍵交換処理部３３は、認証処理部３４から受信した認証情報（Ｋａｕｔｈ）を使用して、受信した交換鍵を復号処理して復号処理部３２に送信する。
【００４８】
認証処理部３４は、記録再生装置１の認証処理部２４に対して認証開始要求コマンドを送信し、認証処理を実行して認証情報（Ｋａｕｔｈ）を共有する。
【００４９】
伝送制御部３５は、受信装置の各部を制御してＡＶデータ伝送処理を実行する制御処理部である。伝送制御部３５は、受信したＡＶデータのコピー制御情報が「移動中」の場合は、受信復号したＡＶデータをそのままＨＤＤ３６に記録させる。一方、受信したＡＶデータのコピー制御情報が「１世代コピー可」の場合は、受信復号したＡＶデータを「これ以上コピー不可」の状態に変更してＨＤＤ３６に記録させる。
【００５０】
ＨＤＤ３６には、復号処理部３２が出力するＡＶデータと、ＡＶデータを管理するためのＡＶデータ管理テーブルＴ２とが記録されている。
【００５１】
次に、本実施の形態における送信装置及び受信装置の動作を説明する。
【００５２】
＜送信装置の動作＞
図６は、本実施の形態における送信装置の動作を示すフローチャートである。ここでは、送信装置（記録再生装置１）から受信装置（記録再生装置２）にＡＶコンテンツをコピーまたは移動する場合の処理について説明する。
【００５３】
送信装置の認証処理部２４は、受信装置から認証開始要求コマンドを受信し（Ｓ１０１）、認証処理を実行する（Ｓ１０２）。伝送制御部２５は、受信装置の認証が失敗した場合（Ｓ１０３でＮＯ）、処理を終了する。一方、受信装置の認証が成功した場合（Ｓ１０３でＹＥＳ）、伝送すべきＡＶデータのコピー制御情報を参照してコピー可能か否かを確認する（Ｓ１０４）。そして、コピー可能であった場合（Ｓ１０４でＹＥＳ）、コピー処理部２７にオリジナルのＡＶデータをコピーして一時データを生成させてから（Ｓ１０５）、ＡＶデータ送信処理を実行させる（Ｓ１０６）。一方、コピー可能でない場合（Ｓ１０４でＮＯ）、直ちにＡＶデータ送信処理を実行させる（Ｓ１０６）。伝送制御部２５は、ＡＶデータ送信処理完了後、削除処理部２８に送信したＡＶデータを削除させ、属性情報管理テーブルＴ１を更新させる（Ｓ１０７）。
【００５４】
なお、通常モードの交換鍵の場合、新規の交換鍵は生成しない。続いて、鍵交換処理Ｓ１０６を実行し、受信装置管理テーブルＴ３を更新する。
【００５５】
図７は、本実施の形態における受信装置管理テーブルの構成を示す図である。
受信装置管理テーブルＴ３は、送信装置（記録再生装置１）によって管理される情報テーブルであって、３４台分の受信装置管理用情報を記録する情報テーブルである。受信装置管理テーブルＴ３には、認証／鍵交換処理を実施したとき、受信装置のＩＰアドレスとデバイスＩＤが記録される。図７に示される受信装置管理テーブルＴ３は、受信装置３台分の情報が登録されており、残り３１台分の情報が未登録状態であることを示している。受信装置管理テーブルＴ３に登録された情報は、交換鍵が所定の条件で破棄された時に初期化される。
【００５６】
＜受信装置の動作＞
図８は、本実施の形態における受信装置の動作を示すフローチャートである。ここでは、暗号化伝送時の認証／鍵交換処理から暗号化伝送までの処理について説明する。
【００５７】
受信装置の認証処理部３４は、認証開始要求コマンドを送信装置に送信して認証／鍵交換処理を開始し（Ｓ２０１）、送信装置から交換鍵を取得する。次に、受信装置の伝送制御部３５は、移動モードまたは通常モードでＡＶデータの送信を要求するＡＶデータ送信要求を送信装置に送信し（Ｓ２０３）、送信装置からＡＶデータを受信すると、受信したＡＶデータを復号してＨＤＤ３６に記録する（Ｓ２０４）。
【００５８】
受信装置の伝送制御部３５は、受信したＡＶデータパケットのヘッダ部に格納されているコピー制御情報（Ｅ−ＥＭＩ）をチェックする。そして、コピー制御情報が「移動中」である場合は、ＡＶデータをそのままＨＤＤ３６に記録させる。一方、コピー制御情報が「１世代コピー可」の場合は、コピー制御情報を「これ以上コピー不可」の状態に変更してＡＶデータをＨＤＤ３６に記録させる。最後に、受信処理を終了すべきか判定し（Ｓ２０５）、受信処理を継続すべき場合は、ＡＶデータ送信要求を再度送信装置に送信し（Ｓ２０２）、受信処理を繰り返す。
【００５９】
＜全体の動作シーケンス＞
以下、ＡＶデータのコピー処理における全体の動作シーケンスについて説明する。
【００６０】
図９は、本実施の形態における送信装置から受信装置にＡＶデータをコピーする場合の通信シーケンスを示す図である。
【００６１】
まず、受信装置は、認証開始要求コマンドを送信装置に送信し（Ｓ２５０）、認証／鍵交換を実行した後（Ｓ２５１）、ＡＶデータ送信要求を送信装置に送信する（Ｓ２５２）。送信装置は、要求されたＡＶデータをコピーして一時データを生成し（Ｓ２５３）、生成した一時データを移動モードで第１の受信装置に送信する（Ｓ２５３）。その際、Ｅ−ＥＭＩには、移動モードであることを示す「移動中」が設定されている。受信装置は、受信したＡＶデータをＨＤＤ３６に記録する。送信装置は、送信が完了すると、送信した一時データを削除する（Ｓ２５５）。
【００６２】
図１０は、本実施の形態における属性情報管理テーブルの構成を示す図である。
属性情報管理テーブルＴ１は、送信装置（記録再生装置１）によって管理される情報テーブルであって、ＨＤＤ２６に記録されているＡＶデータの属性情報を記録する情報テーブルである。この図に示されるように、属性情報管理テーブルＴ１では、ＡＶデータ毎に「番組名」「録画開始時刻」「録画時間」「コピー制御情報」「再生／録画状態」の各項目を属性情報として管理している。各ＡＶデータの属性情報は、録画またはコピーが実行されたときに新規に生成されてテーブルＴ１に追加され、削除処理が実行されたときにテーブルＴ１から削除される。
【００６３】
再生／録画状態としては、「録画」「再生」「移動」「コピー」「削除」「停止」のうちのいずれかの動作状態が設定される。また、コピー処理部２７によって生成されたＡＶデータについては、通常の録画処理によって記録されたオリジナルのＡＶデータと区別するために、一時コピーであることを示す番組名が設定される。また、コピー制御情報としては、「コピー不可」または「コピー可（コピー可能回数）」が設定される。「コピー不可」は、ＤＴＣＰ方式に規定される「これ以上コピー不可」を意味する。「コピー可（コピー可能回数）」におけるコピー可能回数は、コピー生成処理が実行される毎に１つ減算される。
【００６４】
図１１は、本実施の形態における録画番組一覧を示す図である。
属性情報表示処理部２９は、上記属性情報管理テーブルＴ１に記録されている属性情報に基づいて表示データを生成する。生成された表示データは、この図に示されるように、記録再生装置１に接続された液晶テレビ等の表示装置６に録画番組一覧として出力される。もちろん、録画番組一覧の内容は、この図に示される内容に限定されるものではない。
【００６５】
図１２は、本実施の形態における別の録画番組一覧を示す図である。
この図に示されるように、コピー制御情報はその意味を示すマークで表してもよい。例えば、管理番号「１」に対応するＡＶデータのコピー制御情報は「コピー不可」であるため、その番組名の前に「×」を付すようにしてもよい。一方、管理番号「２」に対応するＡＶデータのコピー制御情報は「コピー可（Ｎ回）」であるため、その番組名の前に「○」を付すようにしてもよい。このようにコピー制御情報をマークで表すと、そのＡＶデータをコピーすることが可能であるか否かを即座に把握することができるというメリットがある。
【００６６】
図１３〜図１５は、本実施の形態における録画番組一覧の遷移を説明するための図である。
【００６７】
図１０の属性情報テーブルＴ１では、管理番号「３」に対応するＡＶデータは、その番組名に「一時コピー」という文字が含まれている。したがって、管理番号「３」に対応するＡＶデータは、オリジナルのＡＶデータではなく一時データであることがわかる。コピーが完了すると、管理番号「３」に対応するＡＶデータの再生／録画状態は、図１３の矢印部分に示されるように「コピー」状態から「移動」状態に更新される。したがって、管理番号「３」に対応するＡＶデータは、ＤＴＣＰ方式において規定されている「移動モード」によって送信中であることがわかる。送信が完了すると、管理番号「３」に対応するＡＶデータの再生／録画状態は、図１４の矢印部分に示されるように「移動」状態から「削除」状態に更新された後、図１５の矢印部分に示されるように「削除」状態から「停止」状態に更新される。ここでは、表示装置６に表示される録画番組一覧の内容が遷移する点について説明したが、属性情報管理テーブルＴ１の内容も同様に遷移するのはいうまでもない。
【００６８】
以上のように、本実施の形態の記録再生装置によれば、複数回または複数個のコピーが許諾されたＡＶデータを他の記録再生装置にコピーしたい場合でも、ＡＶデータを同時に複数の受信装置が受信することを防止することができる。また、送信後にオリジナルのＡＶデータを削除しなくてもよいため、コピー回数またはコピー個数を保証しつつ、許諾されたコピー処理を実行することができる。
【００６９】
また、本実施の形態の記録再生装置は、コピー処理部２７によって生成された一時データをオリジナルのＡＶデータと区別して表示する。これによって、一時データがコピー処理のため一時的に作成されたＡＶデータであることを明確にユーザーに示すことができる。
【００７０】
また、本実施の形態の記録再生装置は、コピー処理部２７によって生成された一時データを送信している間、ＤＴＣＰ方式において規定されている「移動モード」によって送信していることを表示する。これによって、一時データを移動モードで送信していることを明確にユーザーに示すことができる。
【００７１】
なお、本実施の形態における記録再生装置は、ＡＶデータを移動モードで伝送する場合、ＡＶデータ全体の送信が完了してからＡＶデータ全体を削除しているが、ＡＶデータの一部を送信した時にその部分を逐次削除してもよい。また、削除処理を行うのではなく、ローカル暗号鍵の破棄等の無効化処理を行うようにしてもよい。
【００７２】
また、本実施の形態における記録再生装置は、ＡＶデータを移動モードで伝送する場合、受信装置にＡＶデータが記録されたことを確認せずにＡＶデータを削除しているが、受信装置にＡＶデータが記録されたことを確認してからＡＶデータを削除してもよい。
【００７３】
また、本実施の形態における記録再生装置は、ＡＶデータに付加されるコピー制御情報によって移動モードでＡＶデータが送信されていることを検出しているが、移動モードの検出手段はこれに限定されない。例えば、送信装置からの送信モード通知の内容を判定することによって、移動モードでＡＶデータが送信されていることを検出してもよい。
【００７４】
また、本実施の形態における記録再生装置は、「これ以上コピー不可」のＡＶデータを移動しているが、「コピー禁止」（Ｃｏｐｙ  Ｎｅｖｅｒ）のＡＶデータを移動してもよい。すなわち、コピー制御情報が他のコピー不可状態のＡＶデータでも、「これ以上コピー不可」のＡＶデータの場合と同様の効果を得ることができる。
【００７５】
また、本実施の形態では、記録再生装置を送信装置と受信装置に区別しているが、記録再生装置が送信機能と受信機能の両方の機能を備えていてもよいことは明らかである。その場合、送信機能と受信機能でＨＤＤ２６を共有してもよいし、送信機能と受信機能毎にＨＤＤ２６を設けてもよい。
【００７６】
また、本実施の形態における記録再生装置は、受信装置からＡＶデータ送信要求を受信することによってＡＶデータの送受信を開始しているが、記録再生装置がＨＴＴＰにおけるＰＯＳＴリクエストのようなＡＶデータ受信要求を受信装置に送信することによってＡＶデータの送受信を開始してもよい。
【００７７】
また、本実施の形態では、記録手段としてＨＤＤを例示しているが、本発明における記録手段はＨＤＤに限定されない。例えば、光ディスクドライブや半導体メモリー等の他の記録手段を採用してもよいし、複数種類の記録手段を併用してもよい。
【産業上の利用可能性】
【００７８】
本発明は、複数回または複数個のコピーが許諾されたＡＶデータをその許諾回数または許諾個数を保証して他の記録再生装置にコピーすることが必要なセットトップボックスやＤＶＤ／ＨＤＤハイブリッドレコーダ等に適用することができる。
【図面の簡単な説明】
【００７９】
【図１】本実施の形態における記録再生装置の使用環境を示す図
【図２】本実施の形態における記録再生装置間でＡＶコンテンツをコピーする処理の概要を示す図
【図３】本実施の形態における記録再生装置の構成を示す図
【図４】本実施の形態におけるＡＶデータパケットのフォーマットを示す図
【図５】本実施の形態における第１の受信装置の構成を示す図
【図６】本実施の形態における送信装置の動作を示すフローチャート
【図７】本実施の形態における受信装置管理テーブルの構成を示す図
【図８】本実施の形態における受信装置の動作を示すフローチャート
【図９】本実施の形態における送信装置から受信装置にＡＶデータをコピーする場合の通信シーケンスを示す図
【図１０】本実施の形態における属性情報管理テーブルの構成を示す図
【図１１】本実施の形態における録画番組一覧を示す図
【図１２】本実施の形態における別の録画番組一覧を示す図
【図１３】本実施の形態における録画番組一覧の遷移を説明するための図
【図１４】本実施の形態における録画番組一覧の遷移を説明するための図
【図１５】本実施の形態における録画番組一覧の遷移を説明するための図
【図１６】従来の記録再生装置間でＡＶデータを移動する場合の実行シーケンスを示す図
【符号の説明】
【００８０】
１、２、３  記録再生装置
２１  送受信部
２２  暗号処理部
２３  鍵交換処理部
２４  認証処理部
２５  伝送制御部
２６  ＨＤＤ
２７  コピー処理部
２８  削除処理部
２９  属性情報表示処理部
３１  送受信部
３２  復号処理部
３３  鍵交換処理部
３４  認証処理部
３５  伝送制御部
３６  ＨＤＤ
Ｓ１０５  コピー生成処理
【図１】
2008262640.tif 000003
【図２】
2008262640.tif 000004
【図３】
2008262640.tif 000005
【図４】
2008262640.tif 000006
【図５】
2008262640.tif 000007
【図６】
2008262640.tif 000008
【図７】
2008262640.tif 000009
【図８】
2008262640.tif 000010
【図９】
2008262640.tif 000011
【図１０】
2008262640.tif 000012
【図１１】
2008262640.tif 000013
【図１２】
2008262640.tif 000014
【図１３】
2008262640.tif 000015
【図１４】
2008262640.tif 000016
【図１５】
2008262640.tif 000017
【図１６】
2008262640.tif 000018